(57)【要約】      （修正有）【課題】円弧状パイプ材と垂木材の間に下側フィルムを挟んで固定し、垂木材の上端と押さえ材との間に上側フィルムを挟んで固定し、上下両フィルムを円弧状パイプ材又は垂木材に固定するときのその締め付け力で上下両フィルムに強い張力が負荷されるように、垂木材の構造、及び当該垂木材と押さえ材による上下両フィルムの取付構造を提供する。【解決手段】所定構造の垂木材１０及び押さえ材２０をタッピングネジｓ２で締め付けてこれらを屋根の円弧状パイプ材ｐにドリルネジｓ１で直接取り付け、これによって垂木材１０の円弧状下部と押さえ材２０の左右両翼で下側フィルムｆ２と上側フィルムｆ１をそれぞれ押し下げて、強い張力を負荷した状態で敷設し、これによって上下両フィルム間に所要の断熱空気層を形成する。【選択図】図１−２
2016021899.tif 000002
【特許請求の範囲】
【請求項１】
農業用ビニールハウスの円弧状パイプ材に複層フィルムを取り付けるための垂木材であり、
上記垂木材は縦断面形状が上方に凸の円弧状下部と左右の側壁による垂直支持部を有し、
上記円弧状下部の左右両翼の外端部に下側フィルムを上から押さえる円弧面を備えており、
上記垂直支持部は左右両側壁間にＵ形溝を備えており、当該Ｕ形溝に中間幅狭部があり、
上記垂直支持部の上端部が押さえ材との間にフィルムを挟持するフィルム支持面を備えていることを特徴とするパイプハウスの複層フィルム用垂木材。
【請求項２】
アルミ材製であることを特徴とする請求項１のパイプハウスの複層フィルム用垂木材。
【請求項３】
上記円弧状下部に横方向の切り目が一定間隔で設けられていて、これにより縦方向に曲がり易すい請求項１のパイプハウスの複層フィルム用垂木材。
【請求項４】
縦断面形状が上方に凸の円弧状であり、その左右両翼端に上側フィルムを上から押さえる円弧面を備えていることを特徴とする、請求項１の垂木材用押さえ材。
【請求項５】
請求項１の垂木材の上記円弧状下部をパイプハウスの屋根パイプ材に載せてネジ止めして屋根パイプ材に固定し、上記垂木材の上部に請求項２の押さえ材を載せネジ止めして垂木材に固定し、
上記パイプ材と垂木材の間に下側フィルムを挟んで固定し、上記垂木材の上部と上記押さえ材の間に上側フィルムを挟んで固定することを特徴とする、パイプハウスに複層フィルムを張設した複層フィルム張設構造。
【発明の詳細な説明】
【技術分野】
【０００１】
この発明は、円弧状パイプ材による農業用ビニールハウス（パイプハウス）のドーム形屋根に複層フィルム（シートと同じ。以下、同じ）を張設するための垂木材に関するものであり、屋根に張設された複層フィルム間に断熱用の空気層を備えているパイプハウスの設備コスト、運転コスト、メンテナンスコストを極めて廉価に抑えることができるものである。
【背景技術】
【０００２】
我が国における農業技術が発展してきてハウス栽培が盛んになり、その規模も大型になってきた。
他方、ビニールハウスについて、屋根の採光性を保ちながら断熱性を向上させるために、ビニールシートを二重張りにし、その上下シート間に送風機で空気を送り込んで、その空気圧で所要厚さの断熱用空気層を形成するものがある（例えば、特開２００７−２５５２９１号公報（特許文献１））。なお、上記二重張りの上側ビニールシートは強度を要するので比較的厚手の硬質ビニールシートであり、他方、下側ビニールシートはいわば内張であって格別強度を要するものではないので比較的薄手の軟質ビニールシートであるのが一般的である。
【０００３】
上記の特許文献１のビニールハウスは、支柱１に支えられた梁２上に、円弧状の屋根枠フレーム３と上部枠４、下部枠５によってアーチ型の屋根が形成されていて、その上に２層のビニールシートｆ１，ｆ２を張っているものである（図３（ａ））。
そして上記上部枠４、下部枠５は上向きの断面コ字状の枠材であり、これにキー８を押し込んで上下のビニールシートｆ１，ｆ２の周縁を上部枠４、下部枠５に固定しており（図３（ｂ））、上下両ビニールシートｆ１，ｆ２の間に送風機７で空気を送り込んで空気層（断熱空気層）ａを形成している。
このものは、上下両ビニールシートｆ１，ｆ２間に空気を送り込んでその空気圧によって所要厚さの断熱空気層ａを形成し保持しているが、そのための設備コスト（送風機、配管、制御装置等）や運転コスト、メンテナンスコストなどの問題があり、また、設備に不具合（停電，故障等）が生じると、上記断熱空気層ａが保持されなくなるという問題がある。
上記従来技術の複層フィルムは、多量に送風する必要があるのでその送風機７、送風配管等が大型になり、その設備コスト、運転コスト、メンテナンスコストが非常に嵩む。
さらに、上下両ビニールシートの全面に断熱空気層ａの空気圧がかかるので、この空気圧で押されて下側ビニールシートが下方に膨らんで垂れ下がるという問題があり、また、下側ビニールシートの垂れ下りそのためにその下面に結露が生じると、これが筋状に流れて同じところから水滴が落下し、これが栽培作物に当たって害するという問題もある。
【０００４】
そこで、少ない送風量で上記空気層を形成して保持でき、当該空気層の内圧を少しでも低減するために、上下両ビニールシート間に穴あきの柔らかいエアチューブを介在させ、これに空気を送り込んでこれを膨らませるとともに、当該エアチューブの穴から空気を吹き出させて上下両ビニールシート間に空気を送り込んで、上記エアチューブと内圧とで所要厚さの空気層を形成し保持するようにしたものもある（詳細は特開２０１２−７５４０５号公報、特許文献２）。
【０００５】
ところで、農業用ビニールハウスとして簡便で廉価な構造のパイプハウス（円弧状のパイプ材によるドーム形屋根にビニールシートを張設したものが多用されている（特開２００９−１８３２５２号公報、特許文献３）。
そして、上記特許文献３のものは、左右の梁２，２と円弧状のパイプ材（以下、これを単に「パイプ材」ともいう）ｐによってドーム形屋根を構成し、このドーム形屋根に一重のビニールシートｆを張ったものである（図４（ａ））。これはビニールシートｆの外側からプラスチック製のＣ型クリップｃを嵌着させることによってビニールシートｆをパイプ材ｐに固定するものである（図４（ｂ））。
【０００６】
上記のようなパイプハウスについても、屋根の断熱性を高くするとともにビニールシートの下面に結露が生じるのをできるだけ防止するために、ビニールシートを複層にすることが望まれる。そして、そのために複層フィルムの上下両フィルム間に所要厚さの断熱空気層を形成し保持するについては、そのための設備コスト、運転コスト、メンテナンスコストが低廉でなければならない。何故ならそれが低廉でなければ、構造が簡素で低廉であることを特徴とするパイプハウスの利点が損なわれることになるかである。
なお、以下では「ビニールシート」を単に「シート」ともいう。
【０００７】
〔従来技術における問題〕
図４のパイプハウスのドーム形屋根を、低廉な複層フィルムによる断熱構造にするには、上下両フィルム間に空気を圧入して断熱空気層を形成するのではなく、上下両フィルムに強い張力（テンション）を負荷して両フィルム間に所要厚さの空気層を形成し保持できるようにすることが考えられ、そのためには複層フィルムの取付構造（フィルムに強い張力（テンション）を負荷した状態で屋根パイプ材に固定する取付構造）を特別に工夫する必要がある。
【発明の概要】
【発明が解決しようとする課題】
【０００８】
そこで、この発明の課題は、農業用ハウスの円弧状パイプ材によるドーム形屋根に強い張力（テンション）を負荷した状態で複層フィルムを固定し、その張力で上下両フィルム間に所要厚さの断熱空気層を形成するための垂木材について、
上記円弧状パイプ材と垂木材の間に下側フィルムを挟んで固定し、垂木材の上端と押さえ材との間に上側フィルムを挟んで固定し、上下両フィルムを円弧状パイプ材又は垂木材に固定するときのその締め付け力で上下両フィルムに強い張力が負荷されるように、垂木材の構造、及び当該垂木材と押さえ材による上下両フィルムの取付構造を工夫することである。
【課題を解決するための手段】
【０００９】
そして、この発明の解決手段は、次のとおりである。
〔垂木材について〕
（イ）上記屋根の円弧状パイプ材に複層フィルムを取り付けるためのアルミ材製の垂木材であり、
（ロ）上記垂木材は横方向の断面形状が上方に凸の円弧状下部と左右の側壁による垂直支持部を有し、
（ハ）上記円弧状下部の左右両翼端に下側フィルムを上から押さえる円弧面を備えており、
（ニ）上記垂直支持部は左右両側壁間にＵ形溝を備えており、当該Ｕ形溝に中間幅狭部があり、
（ホ）上記垂直支持部の上端部が押さえ材との間にフィルムを挟持するフィルム支持面を備えていること。
【００１０】
〔押さえ材について〕
（イ）上記押さえ材はアルミ材製であってその横方向の断面形状が上方に凸の円弧状であり、その左右両翼端に上側フィルムを押さえる円弧面を備えていること。
【発明の効果】
【００１１】
次いで、この発明の効果について説明する。
パイプハウスの円弧状パイプ材による屋根に下側フィルムを張り、その状態で垂木材の円弧状下部を下側フィルムの上から上記パイプ材上に載せ、そして、その垂直支持部のＵ形溝にドリルネジを挿入し、当該Ｕ形溝の底部を貫いて、上記パイプ材にねじ込んで垂木材を締め付けて固定する。
ドリルネジをパイプ材にねじ込んで締め付けることによって、下側フィルムが垂木材の円弧状下部とパイプ材の間に挟さまれてパイプ材ｐに直接固定されるとともに、当該円弧状下部の左右両翼の端部の円弧面でパイプ材ｐの上面よりも下方に押し下げられ、これによって下側フィルムに強い張力が負荷される（図１−３（ａ）（ｂ）参照）。なお、このとき垂木材の円弧状下部の左右両翼は下側フィルムで上方に押されて弾性変形するので、下側フィルムは上記左右両翼の弾力によって弾力的に押さえられることになる。したがって、当該下側フィルムの経時変化や温度変化による伸縮分は上記左右両翼の弾性変形で吸収されるから、当該下側フィルムが弛むことはない（図１−２（ｂ）参照）。
【００１２】
次いで、垂木材の上に上側フィルムを張り、この状態でその上に押さえ材を載せ、タッピングネジを垂木材の上記Ｕ形溝の幅狭部にねじ込んで押さえ材を締め付けて上側フィルムを垂木材に直接固定する。
このとき、上側フィルムは押さえ材の下面と垂木材の垂直支持部の上面の間に挟さまれて固定される。そして押さえ材の左右両翼端の円弧面で上側フィルムが押しつけられるので、これによって上側フィルムに強い張力が負荷される。そしてまた、このとき押さえ材の左右両翼は上側フィルムで上方に押されて弾性変形し、その弾力で上側フィルムが下方に押さえられることになる。したがって、上記押さえ材の左右両翼の弾性変形で上側フィルムの伸縮分が吸収されるから、当該フィルムが弛むことはない。
なお、上記円弧状下部の左右両翼は、その端部の下方に凸の円弧面でフィルムを押さえるので、フィルムとの接触面に押さえ力が一点集中することはなく、したがって、接触面にフィルムが引っかかることはなく、上記左右両翼端に対するフィルムの伸縮に伴う滑りは滑らかであり、押さえ面で下側フィルムが損傷されることは防がれる。
【００１３】
以上のように、上下両フィルムの張設作業（フィルムを強く張った状態で設置する作業）は簡単容易であり、しかも上下両フィルムの張力（テンション）は垂木材の円弧状下部の左右両翼の弾力と、押さえ材の左右両翼の弾力で維持されるので、下側フィルム、上側フィルムの伸縮によってこれらが弛むことはなく、したがって、所要厚さの断熱空気層が保持される。
【００１４】
〔利点〕
この発明の利点は次のとおりである。
この発明による複層フィルムを備えたパイプハウスは、上下両フィルム間の空気層（断熱空気層）に送風機で空気を押し込むものでないから、断熱空気層の空気圧で下側フィルムが押し下げられて膨らむことはない。
また、上記垂木材と押さえ材はタッピングネジで互いに固定されて一体になるので、上下方向の曲げに対する剛性が高い。したがって、屋根上作業の足場としてこれを利用することもできる。
【００１５】
〔実施の態様〕
上下両フィルムｆ１，ｆ２の素材、及び厚さは種々であって特別のものではない。また、各フィルムの厚さも種々であり、上下フィルムの厚さの組合せも種々である。
そして、この実施例における上側フィルムｆ１、下側フィルムｆ２の厚さ、
両フィルムｆ１，ｆ２の材料は従来汎用されているものであれば、本発明の実施に支障はない。
また、垂木材１０の素材は従来から使用されているアルミ材であり、また、垂木材１０の垂直支持部１２の高さ（図１（ａ）、ｈ２参照）や同垂直支持部の厚さ（図１（ａ）、ｗ２参照）は、ビニールハウスの大きさ、パイプ材ｐの太さ等によって適宜選択されるものであって一概に特定されるものではなく、断熱空気層の所要厚さや、垂木材の複層フィルムに対する支持強度等を勘案して、適宜選択されることである。
また、垂木材１０の円弧状下部１１の高さ（図１（ａ）、ｈ１参照）、その厚さ（肉厚）ｔ１（図１（ｂ）、ｔ１参照）、同円弧状下部の左右翼部の横方向の幅（図１（ａ）、ｗ１参照）は、下側フィルムｆ２の厚さやその引っ張り強度、円弧状下部１１の弾力的な押さえこみよって下側フィルムｆ２に負荷される張力（テンション）等を勘案して適宜選択されることである。
【００１６】
さらに、押さえ材２０の素材は、垂木材１０と同様にアルミ材 であり、そしてまた、押さえ材２０の左右の円弧状部（図１（ｂ）、２０ａ）の高さ（図１（ｃ）、ｈ４）は、その左右両側の翼部の幅（図１（ｂ）、ｗ１０参照）、左右両翼部の厚さ（図１（ｂ）、ｔ２参照）は、円弧状下部１１の場合と同様、適宜選択されることである。
【００１７】
また、一段の垂木材で上下両シート（複層フィルム）を張設するのが基本であるが、垂木材１０の円弧状下部は、上記押さえ材２０と同様に他の垂木材の上に重ねる（二段重ねにする）ことができ、さらにドリルネジでその下段の垂木材に固定することができ、さらに、その円弧状下部１１が押さえ材２０と同様に機能するので、二段重ねにした垂木材の上に上側フィルムを張り、押さえ材で固定することもできる。このようにすることによって、断熱空気層の厚さを二倍にすることができ、あるいは、フィルムを三層に張設することもできる。
垂木材１０を二段重ねにした上記施工は複層フィルムの断熱性を高くするのに有効であるが、複層フィルムの上側フィルム又は下側フィルムが破損して大幅な補修を要するとき、押さえ材を取り外し、その上に新たな垂木材を重ねて固定し、その上に新たなフィルムを張設するという補修も可能である。このような補修費用は、フィルムを新たなものと交換する補修よりも比較的低廉である。
また、補修のために垂木材を三段重ねにして４層フィルムにすることも理論的には可能である。
【００１８】
なお、複層フィルムによる農業用ハウス一般のこととしていえば、上下両シート（複層フィルム）間の断熱空気層の厚さは、その中の空気の自然対流をできるだけ抑制してその断熱性を高めるには、ほぼ１６ｍｍ程度が適当であると言われている。このことからすれば、本発明による複層フィルムによるパイプハウスにおいてもその断熱空気層の厚さは１６ｍｍ程度が適当であるといえる。
【図面の簡単な説明】
【００１９】
【図１−１】（ａ）はこの発明の実施例の垂木材の横方向の断面図、（ｂ）は同垂木材の一部拡大図、（ｃ）は垂木材の斜視図。
【図１−２】（ａ）は押さえ材の横方向の断面図、（ｂ）は屋根パイプ材に垂木材、押さえ材によって複層フィルムを固定した状態を模式的に示す横方向の断面図。
【図１−３】（ａ）（ｂ）は、下側フィルムを張設するときの説明用の図。
【図２】（ａ）は屋根パイプ材の間に複層フィルムを張設した状態を模式的に示す横方向の断面図、（ｂ）は同状態の一部斜視図。
【図３】（ａ）は複層フィルムによる従来技術１のドーム型ビニールハウスの断面図、（ｂ）は同ビニールハウスの屋根の一部拡大断面図。
【図４】（ａ）は、従来技術２のパイプハウスの斜視図、（ｂ）はビニールシート（フィルム）を屋根のパイプ材に固定する固定構造の一例の斜視図。
【発明を実施するための形態】
【００２０】
次いで、図１、図２を参酌して実施例（具体的な一例）を説明する。
〔垂木材の構造〕
この実施例の垂木材１０はアルミ材製であり、図１−１（ａ）に示す断面形状を有し、細長い長尺もので、円弧状下部１１と垂直支持部１２で構成されているものである。
垂直支持部１２の高さ（ｈ１＋ｈ２）は、パイプ材ｐの外径、形成すべき断熱空気層ａの厚さに応じて適宜選択されるものであり、この実施例ではほぼ１４ｍｍである。
また、円弧状下部１１の幅（ｗ１）は、パイプ材ｐの外径、下側フィルムに負荷される張力等に応じて適宜選択されるものであり、この実施例ではほぼ２７〜２８ｍｍ程度である。
上記垂直支持部１２の上部１２ｂは幅広になっており、この上部１２ｂの高さｈ３は、ほぼ５ｍｍである。そして垂直支持部１２の中はＵ形溝１３になっておりこのＵ形溝１３は上部が幅広部１３ａ、中間が中間幅狭部１３ｂになっている（図１−１（ｂ））。
【００２１】
垂木材１０の円弧状下部１１の下面（円弧面）の曲率半径はパイプ材ｐの外面の曲率半径よりも大きく、また、円弧状下部１１の高さｈ１はほぼ７〜８ｍｍである。そして、この円弧状下部１１の左右両翼（左翼、右翼）１１ａの厚さｔ１は、これが弾性変形による弾力によって下側フィルムｆ２に所要の張力を負荷するのに適した厚さであって、この実施例ではほぼ０．８〜０．９ｍｍである。
そして、左右両翼１１ａ，１１ａの翼端１１ｂ（図１−１（ａ）参照）はそれぞれ上方に少し傾斜しており、その下端が下方に凸の円弧面になっている。そして、この下方に凸の円弧面によって下側フィルムｆ２が強く押し下げられるが、当該フィルムは伸縮に伴って上記翼端１１ｂの円弧面に対して滑らかに滑る。
【００２２】
垂直支持部１２の幅ｗ２（又は横方向厚さ）は、上下両フィルムｆ１，ｆ２をしっかりと支持できるように適宜選択されるものであって、この実施例ではほぼ７ｍｍであり、その上部１２ａの幅ｗ４は１０ｍｍである。上部１２ａの上端に幅１ｍｍの横方向フランジ１２ｃ，１２ｃが突出していて、当該横方向フランジ１２ｃ，１２ｃの上面（巾は約２ｍｍ）で上側フィルムｆ１を支え、押さえ材２０との間に挟んでこれを固定する。なお、左右フランジ１２ｃ，１２ｃの幅方向外端間の幅ｗ５は上側フィルムｆ１を安定的に支持できるように適宜選択されるものである。
垂直支持部１２のＵ形溝１３の幅ｗ３は、パイプ材ｐにねじ込まれるドリルネジｓ１を通せる幅である。そしてまた、当該Ｕ形溝１３は垂直支持部１２の上部１２ａにおいて幅が広く、当該Ｕ形溝１３の幅広部１３ａの幅ｗ６は、上部１２ａの幅ｗ４と上部１２ａの肉厚（この実施例では約１ｍｍ程度）との関係で決まる。
また、上記Ｕ形溝１３に中間幅狭部１３ｂがあり、この中間幅狭部１３ｂの幅は、タッピングネジｓ２がねじ込まれてこれによって押さえ部材２０をしっかり固定できるように適宜選択されるものである。
なお、上記中間幅狭部１３ｂに一定間隔で丸穴を予め設けておいてこの丸穴にタッピングネジｓ２をねじ込むようにすることもできる。これにより、中間幅狭部１３ｂにタッピングネジｓ２が容易にかつしっかりねじ込まれる。
また、上記幅狭部１３ｂが狭くて下側のドリルネジｓ１を通過させることができないときは、そのための丸孔を予め設けておくこともできる。
垂木材１０の断面形状・構造は以上のとおりである。
また、垂木材１０の円弧状下部１１に、横方向の切り目１１ｓが一定間隔で設けられていて（図１−１（ｃ））、これによって垂木材１０がパイプ材ｐに沿って曲がり易いようになっている。
なお、この円弧状下部１１の切り目１１ｓの間隔やその切り込み深さｄ（図１−１（ｃ）参照）については、垂木材１０全体が円弧状に容易に曲げられる程度でなければならず、他方、円弧状下部１１の剛性が大きく損なわれない程度でなければならない。この切り目１１ｓの間隔や切り込み深さｄについてはは、個々の垂木材の具体的な設計において、その曲げ易さと、円弧状下部１１の下側フィルムｆ２を押さえる所要弾力等を勘案して適宜適切に選択する必要がある。
また、垂木材１０の長さについては種々であるが、作業のし易さ、作業能率等を勘案して適宜選択されることであるが、具体的には３ｍ程度が好ましい。
【００２３】
〔押さえ材の構造〕
押さえ材２０は垂木材１０と同様にアルミ材製であり、その断面形状は左右翼部２０ａと中央平坦部２０ｂとによるもの（ほぼ円弧状のもの）である。そしてその底面の横幅ｗ１０、中央平坦部２０ｂの平坦面の幅ｗ１１、高さｈ１０、さらに、左右両翼の厚さｔ２は、上側フィルムｆ１を所要の弾力で押さえてこれに所要の張力を負荷できるように、適宜選択されるものである。
また、上記左右の翼部２０ａ，２０ａの下端は下方に凸の円弧面になっている。そして、中央平坦部２０ｂの幅ｗ１１、その厚さｔ３、左右翼部２０ａの高さｈ１１については、当該翼部２０ａの弾力で上側フィルムｆ１を所要の強さで弾力的に押さえ込めるように適宜選択すればよい。
そしてまた、上記中央平坦部２０ｂの上面中央に長手方向のｖ溝２０ｃがあり、このｖ溝２０ｃによって押さえ材２０を固定するタッピングネジｓ２の食い込みをよくしている。
なお、押さえ材２０の長さは、作業の容易さ、作業能率等の観点から適宜選択されることであるが、この実施例ではほぼ３．０ｍである。
以上の説明における各部寸法の数値は一例であり、対象とするパイプハウス一棟の大きさ、屋根パイプ材の外径、立地環境などに応じて適宜適切に選択されるべきことであり、個々の具体的設計において適宜選択すればよいことである。
【００２４】
〔屋根パイプ材への組み付け〕
屋根パイプ材ｐに垂木材１０を固定し、垂木材１０に押さえ材２０を固定して上下両フィルムｆ１，ｆ２を固定する。このようにして上下両フィルムｆ１，ｆ２が張設された状態は図１−２（ｂ）に示すとおりであり、隣接する二つのパイプ材ｐ，ｐ間に複層フィルムによる断熱空気層ａが形成されている（図２（ａ）（ｂ））。
屋根パイプ材に複層フィルムを張設する作業手順は次のとおりである。
まず、一定間隔で多数配置されているパイプ材（屋根パイプ材）ｐ，ｐ，ｐ・・・・上に下側フィルムｆ２を張り、その上から、垂木材１０の円弧状下部１１を載せ、ドリルネジｓ１をＵ形溝１３に挿入し、Ｕ形溝１３の底を通して、パイプ材ｐにねじ込む。これによって、ドリルネジｓ１のネジ頭がＵ形溝１３の幅広部１３ａの底面を押さえ、締め付けて垂木材１０の円弧状下部１１がパイプ材ｐに固定され、その中央部分とパイプ材ｐとで下側フィルムｆ２が挟まれて固定される。このとき、垂木材１０の円弧状下部１１の両翼部１１ａ、１１ａがパイプ材ｐに対して下方に押し下げられる。そしてこれによって、両翼部１１ａ，１１ａの下端の円弧状面で下側フィルムｆ２が押し下げられて下側フィルムｆ２に強い張力（テンション）が負荷される（図１−３（ａ）（ｂ）参照）。
【００２５】
次に、垂木材１０の上部１２ａ上に上側フィルムｆ１を張り、その後、押さえ材２０を載せ、タッピングネジＳ２を垂木材１０の垂直支持部１２のＵ形溝の幅狭部１３ｂにねじ込んで締め付ける。これによって、その中央平坦部２０ｂの下面と垂木材１０の垂直支持部１２上面との間に上側フィルムｆ１が挟さまれて固定される。このとき、押さえ材２０の左右の翼部２０ａが垂木材１０の上部１２ａに対して押し下げられ、その下端の円弧面で上側フィルムｆ１が押し下げられ、当該上側フィルムｆ１に強い張力が負荷される。
【００２６】
以上のように、ドリルネジｓ１、タッピングネジｓ２によって垂木材１０と押さえ材２０を締め付けることによって、上下両フィルムｆ１，ｆ２は強い張力（テンション）を負荷された状態で張設され、厚さがほぼ１６ｍｍの空気層ａが形成される（図２（ａ））。
そして、上記空気層ａは、上下両フィルムｆ１，ｆ２が強い張力を負荷されることによって形成されたものであるから、その空気圧はゼロである。
【００２７】
〔垂木材の全体形状について〕
なお、ドーム形パイプハウスの屋根パイプ材は円弧状であるので、これに固定されたとき垂木材１０はパイプ材ｐに沿って円弧状に曲げられなければならない。そのためには、その円弧状下部１１に横方向の切れ目１１ｓを一定間隔で設けてあり、これによって円弧状に曲がり易くしている。
なお、押さえ材２０はアルミ材製で比較的容易に曲がり易いので、これに横方向の切れ目を入れて曲がり易くする必要はない。
【００２８】
〔設計変更が可能なこと〕
以上、本発明の実施例を説明したが、本発明の基本は、要するに、所定構造の垂木材をドリルネジで締め付けてこれを屋根の円弧状パイプ材に直接固定し、
また、押さえ材をタッピングネジで締め付けて垂木材に固定し、これによって垂木材の円弧状下部と円弧状の押さえ材の左右両翼で下側フィルムと上側フィルムをそれぞれ押し下げて、強い張力を負荷した状態で張設し、上下両フィルム間に所要厚さの空気層を形成することである。
しかし、次のように変更することも技術的には可能である。
【００２９】
例えば、垂木材はある程度の硬さと強さを有し、中間幅狭部にタッピングネジをネジ込めるものでなければならないが、必ずしもそのためにアルミ材である必要はなく、例えば、ステンレス鋼材によることも技術的には可能である。ステンレス鋼による場合は、垂木材の垂直支持部の中間幅狭部にねじ穴を、また、Ｕ形溝の底に丸孔を予め設けておく必要がある。この場合は、アルミ材によるものに比して重くて硬いので作業性が非常に悪く、またパイプハウスの屋根荷重が大きくなる。
また、垂木材を硬質プラスチック製にすることも技術的には可能である。しかし、この場合は所要の剛性、強度を確保できるように、その円弧状下部の厚さ、垂直支持部の厚さを厚くするなど、その構造設計に工夫を要し、また、タッピングネジに対する十分な保持力を確保するための特別の工夫が必要である等のデメリットがある。そしてまた、硬質プラスチック材による場合は、クリープ等のために劣化してフィルムを押さえる弾力が徐々に低下する可能性があるので、金属で補強する等の特別の工夫も必要である。
【００３０】
さらに垂木材１０の円弧状下部１１の断面形状は厳格に円弧状である必要はなく、その中央下面がパイプ材ｐの外周面に馴染む形状で、かつ当該円弧状下部の左右両翼端によって下側フィルムｆ２を押し下げてこれを弾力的に押さえることができる円弧状であればよい。
他方、押さえ材２０は上側の硬質フィルムｆ１を押し下げ、その弾力で硬質の上側フィルムｆ２を押さえるものであるから、その断面形状は、垂木材１０の上記円弧状下部１１の断面形状と同様、ほぼ円弧状であればよい。
【００３１】
さらに、この発明の適用対象は、通常「パイプハウス」といわれるものであるが、しかし、必ずしもこれに限られない。要するに多数の円弧状のパイプ材によるドーム形の屋根（又は同様の形状の屋根）を備えた農業用ハウスにも適用可能であり、また、ビニールのテント倉庫などの農業用ハウス以外の同様の構造のものにも適用可能である。
また、屋根パイプ材は鋼材製又はアルミ材製が従来使用されているが、これに限られるものではない。そして、屋根パイプ材が鋼材製又はアルミ材製である場合はこれにドリルネジｓ１をねじ込んでこれに垂木材を固定することはできるが、タッピングネジｓ２又はボルトによることもできる。ただしこの場合は、パイプ材に予めタッピング用の丸孔又は螺合用のネジ孔を設けておく必要があり、また、Ｕ形溝１３の底にこれらをとおせる丸孔を予め設ける必要がある。
また、本発明の垂木材を用いて下側フィルムｆ２のみを張設する形態の実施も可能である。このような実施形態は複層フィルムを用いてその間に所要厚さの空気層ａを形成するものではないから、形式的には本発明の不完全実施ではあるが、しかし、そのままで上側フィルムｆ１を張設して複層フィルムに変更できるのであるから、本発明の実質的実施に当たることは間違いない。
【先行技術文献】
【特許文献】
【００３２】
【特許文献１】特開平７−２５５２９１号公報
【特許文献２】特開２０１２−７５４０５号公報
【特許文献３】特開２００９−１８３２５２号公報
【符号の説明】
【００３３】
１：支柱
２：梁
３：屋根枠フレーム
４：上部枠
５：下部枠
１０：垂木材
１１：円弧状下部
１１ａ：翼部
１１ｓ：横方向の切り目
１２：垂直支持部
１２ａ：上部
１３：Ｕ形溝
１３ａ：幅広部
１３ｂ：幅狭部
ｆ１：上側フィルム
ｆ２：下側フィルム
ｈ１：円弧状下部１１の高さ
ｈ２：垂直支持部１２の高さ
ｈ３：上部１２ａの高さ
ｈ１０：押さえ材の高さ
ｈ１１：左右の翼部２０ａの高さ
ｐ：円弧状のパイプ材
ｓ１：ドリルネジ
ｓ２：タッピングネジ
【図１−１】
2016021899.tif 000003
【図１−２】
2016021899.tif 000004
【図１−３】
2016021899.tif 000005
【図２】
2016021899.tif 000006
【図３】
2016021899.tif 000007
【図４】
2016021899.tif 000008